(57)【要約】      （修正有）【課題】トゥソックスを流通乃至販売する場合に、その商品形体や材質などを判りやすくして、商品選びの容易化を図り、購買意欲を高めさせるようにする。【解決手段】トゥソックス２を保持する型片３とこれに連結された表装片４とを有していると共にこれら両片３，４との連結部に折り目部５が形成されており、型片３には折り目部５から遠い方の端部にトゥ差し部１２が形成され、表装片には型片との折り合わせ時に外へ向く面に広告面２０が形成されており、両片の折り合わせ時には型片のトゥ差し部が表装片よりも突出するように表装片よりも型片が長く形成されている。【選択図】図１
2008143580.tif 000002
【特許請求の範囲】
【請求項１】
トゥソックス（２）を保持する型片（３）とこの型片（３）に連結された表装片（４）とを有していると共にこれら型片（３）と表装片（４）との連結部に対してこれら両片（３，４）を折り合わせ可能にする折り目部（５）が形成されており、
型片（３）には折り目部（５）から遠い方の端部にトゥソックス（２）をトゥ部形状に整形保持するトゥ差し部（１２）が形成され、
表装片（４）には型片（３）との折り合わせ時に外へ向く面に広告面（２０）が形成されており、
両片（３，４）の折り合わせ時には型片（３）のトゥ差し部（１２）が表装片（４）よりも突出するように表装片（４）よりも型片（３）が長く形成されている
ことを特徴とするトゥソックス用パッケージ。
【請求項２】
前記表装片（４）は、型片（３）との折り合わせ時に当該型片（３）におけるトゥ差し部（１２）の両脇縁を覆い隠すように型片（３）の少なくともトゥ差し部（１２）よりも幅広に形成されていることを特徴とする請求項１記載のトゥソックス用パッケージ。
【請求項３】
前記型片（３）及び表装片（４）の折り目部（５）近傍には、両片（３，４）の折り合わせ時にこれら両片（３，４）間で合致して表裏貫通するフック孔（２３，２４）が設けられていることを特徴とする請求項１又は請求項２記載のトゥソックス用パッケージ。
【請求項４】
前記表装片（４）には、型片（３）との折り合わせ時に型片（３）を抱き込むように折り返し可能とされた開封ツマミ片（３５）が設けられていることを特徴とする請求項１乃至請求項３のいずれか１項に記載のトゥソックス用パッケージ。
【請求項５】
前記型片（３）には、トゥ差し部（１２）へ保持したトゥソックス（２）のヒール紐（２ｂ）を張りを持たせた状態に引っ掛け保持させる紐掛け部（１３）が設けられていることを特徴とする請求項１乃至請求項４のいずれか１項に記載のトゥソックス用パッケージ。
【請求項６】
前記表装片（４）の脇方に隣接する状態で背装片（６）が連結されていると共にこれら背装片（６）と表装片（４）との連結部に対してこれら両片（４，６）を折り合わせ可能にする折り目部（８）が形成されており、
背装片（６）には、表装片（４）に連結された型片（３）と並行するようにして補助型片（７）が連結されていると共にこれら背装片（６）と補助型片（７）との連結部に対してこれら両片（６，７）を折り合わせ可能にする折り目部（９）が形成されており、
補助型片（７）には折り目部（９）から遠い方の端部にトゥソックス（２）をトゥ部形状に整形保持するトゥ差し部（２８）が形成され、
背装片（６）には表装片（４）との折り合わせ時に外へ向く面に背部広告面（２７）が形成されている
ことを特徴とする請求項１乃至請求項５のいずれか１項に記載のトゥソックス用パッケージ。
【請求項７】
前記表装片（４）と型片（３）とを折り合わせ且つ背装片（６）と補助型片（７）とを折り合わせた状態で更に表装片（４）と背装片（６）とを折り合わせたとき、補助型片（７）のトゥ差し部（２８）が型片（３）のトゥ差し部（１２）を超えて更に突出するように背装片（６）からの補助型片（７）の連結長さが決められていることを特徴とする請求項６記載のトゥソックス用パッケージ。
【請求項８】
前記表装片（４）の脇方に隣接する状態で補助型片（７）が連結されていると共にこれら補助型片（７）と表装片（４）との連結部に対してこれら両片（４，７）を折り合わせ可能にする折り目部（４０）が形成されており、
補助型片（７）には、表装片（４）との折り合わせ時に当該表装片（４）におけるフック孔（２４）から遠い方の端部側で当該表装片（４）よりも突出してトゥソックス（２）をトゥ部形状に整形保持するトゥ差し部（２８）が形成されていることを特徴とする請求項１乃至請求項５のいずれか１項に記載のトゥソックス用パッケージ。
【発明の詳細な説明】
【技術分野】
【０００１】
本発明は、トゥソックス用パッケージに関するものである。
【背景技術】
【０００２】
ハイヒール等の靴を履くときにはつま先だけを覆う形体をしたトゥソックスを使用することがある。このトゥソックスを流通乃至販売するには、トゥソックスをコンパクトに折り畳んだ状態にして透明の小袋に詰め、小袋の口を封鎖したうえで商品棚へ並べるといった方法を採っていた。
なお、トゥソックス以外の通常のソックスを流通乃至販売する場合には、紙等で形成されたパッケージを採用することがあった（例えば、特許文献１等参照）。この種のパッケージは、二つ折りしたソックスを胴巻き状に取り囲むような状態にするもので、吊り下げ用のフック部が付属されていた。
【特許文献１】実公昭５７−２７３３４号公報
【発明の開示】
【発明が解決しようとする課題】
【０００３】
トゥソックスを小袋へ詰めてしまうと、小袋の外からはトゥソックスを広げた状態が判らないため、つま先へ着用した状態を想像することも困難となり、商品を選ぶうえで非常に不便であった。また、微妙な色合いを知ることも困難であると共に、肌触り感や伸縮性を直接、手に触れて判別することもできないという欠点もあった。
殊に、トゥソックスには踵へ引っ掛けるためのヒール紐が設けられたものも商品化されているが、このヒール紐の有無や形体なども小袋の外からでは判りにくいということがあった。
【０００４】
なお、商品形体との兼ね合いで小袋自体、かなり小さめのものとなってしまうため、この小袋に商品説明や着用イメージの写真を表示することはそもそも困難であり、販売時に吊り下げるためのフック部を設けるといったことも困難であった。これらの事情は、例えトゥソックス以外の通常のソックス用に開発されたパッケージ（特許文献１等）を参考にしても、これをトゥソックス用パッケージを開発するヒントにはできないことの根拠でもある。
本発明は、上記事情に鑑みてなされたものであって、トゥソックスを流通乃至販売する場合に、その商品形体や材質などを判りやすくして、商品選びの容易化を図り、購買意欲を高めさせるようにしたトゥソックス用パッケージを提供することを目的とする。
【課題を解決するための手段】
【０００５】
前記目的を達成するために、本発明は次の手段を講じた。
即ち、本発明に係るトゥソックス用パッケージは、トゥソックスを保持する型片とこの型片に連結された表装片とを有していると共にこれら型片と表装片との連結部に対してこれら両片を折り合わせ可能にする折り目部が形成されている。
そして型片には、折り目部から遠い方の端部にトゥソックスをトゥ部形状に整形保持するトゥ差し部が形成され、表装片には、型片との折り合わせ時に外へ向く面に広告面が形成されている。
【０００６】
また両片の折り合わせ時には、型片のトゥ差し部が表装片よりも突出するように表装片よりも型片が長く形成されている。
このような構成であることから、型片のトゥ差し部へトゥソックスを被せることで、トゥソックスを足のつま先に履かせたような疑似形状（つま先に沿った半円形状）に整形保持できる。この状態で型片と表装片とを折り合わせるようにすると、トゥソックスのトゥ部形状（つま先に沿った半円形状）だけを露出させつつそれ以外を表装片で隠すようにできる。表装片は外に向く面が広告面となっているため、このままの状態でトゥソックスを販売等に向けて展示することができる。
【０００７】
従って、トゥソックスを流通乃至販売する場合に、商品形体や材質などを判りやすくすることができ、もって商品選びを容易にし購買意欲を高めさせることができる。また、トゥソックスをわざわざ袋型の包装材へ詰める必要がないため、商品選びをする者はトゥソックスの色合い、肌触り感、伸縮性等を直接、見たり手で触れたりして確かめることができる。
表装片は、型片との折り合わせ時に、当該型片におけるトゥ差し部の両脇縁を覆い隠すように型片の少なくともトゥ差し部よりも幅広に形成しておくのが好適である。
【０００８】
このようにすることで、型片と表装片とを折り合わせた状態として、型片のトゥ差し部に被せたトゥソックスの両側部が表装片の両側部から見えない（はみ出さない）ようにすることができるので、表装片の広告面によって生じる美観が損なわれることがなく、展示状態として好ましいと言える。
型片及び表装片の折り目部近傍には、両片の折り合わせ時にこれら両片間で合致して表裏貫通するフック孔を設けておくとよい。
このようにすると、フック孔を展示ラック等のフックへ引っ掛けるようにしてこのパッケージを吊り下げることができる。この吊り下げ状態としたとき、型片のトゥ差し部に被せたトゥソックスは下向きとなり、その上部側に表装片による広告面が位置付けられるようになるので、パッケージ全体としてスマートな展示状態が得られる。
【０００９】
また、展示ラック等のフックがフック孔へ引っ掛けられている状態として、このフックが型片と表装片との折り合わせ状態を保持させる作用（かすがい的な作用）を生じるようになり、展示状態のなかで型片と表装片とが無理矢理開かれたり、パッケージ中の商品（即ち、トゥソックス）が汚損や破損等されることを防止できる利点もある。
表装片には、型片との折り合わせ時に型片を抱き込むように折り返し可能となる開封ツマミ片を設けるとよい。
このようにすると、この開封ツマミ片を利用して型片と表装片との折り合わせ状態をしっかりと結合させることができる。また型片と表装片との折り合わせ状態を解くうえでこの開封ツマミ片を把持して軽快で且つ迅速な折り合わせ解除（即ち、パッケージを開封して中の商品であるトゥソックスを取り出す行為）ができるようになる。
【００１０】
型片には、トゥ差し部へ保持したトゥソックスのヒール紐を、張りを持たせた状態に引っ掛け保持させるための紐掛け部を設けることができる。
このような紐掛け部はトゥソックスがヒール紐を具備する場合の対応であって、このヒール紐の仕舞い処理（パッケージからヒール紐がはみ出したりぶらぶらしたりせず且つ綺麗に見える処理）が好適に行えるようになる。
本発明に係るトゥソックス用パッケージは、複数足のトゥソックスをパッケージする構成とすることも可能である。
【００１１】
すなわち、表装片の脇方に隣接する状態で背装片が連結されていると共にこれら背装片と表装片との連結部に対してこれら両片を折り合わせ可能にする折り目部が形成されており、背装片には、表装片に連結された型片と並行するようにして補助型片が連結されていると共にこれら背装片と補助型片との連結部に対してこれら両片を折り合わせ可能にする折り目部が形成されており、補助型片には折り目部から遠い方の端部にトゥソックスをトゥ部形状に整形保持するトゥ差し部が形成され、背装片には背装片との折り合わせ時に外へ向く面に背部広告面が形成されているものとする。
【００１２】
このように型片とは別に補助型片をも具備させることで、複数足のトゥソックスをパッケージさせることができるのである。なお、背装片の背部広告面は、トゥソックスのサイズや材質、取扱方法、製造会社名などの製品情報を記載するのに使用してもよい。
この場合、表装片と型片とを折り合わせ且つ背装片と補助型片とを折り合わせた状態で更に表装片と背装片とを折り合わせたとき、補助型片のトゥ差し部が型片のトゥ差し部を超えて更に突出するように、背装片からの補助型片の連結長さを決めておくとよい。
このようにすると、型片によって整形保持させるトゥソックスと、補助型片によって整形保持させるトゥソックスとを、互いに位置ズレさせた状態（階段状にずらした状態）で展示させることができる。そのため、これを見る者に対し、一目で複数足のトゥソックスがパッケージされていることを理解させることができる。また各トゥソックスとして異なる色を組み合わせることでパッケージ全体としての見栄えを向上させることも可能となり、購買意欲を高めさせるうえで有益となる。
【００１３】
なお、上記した背装片を省略することも可能である。すなわち、表装片の脇方に隣接する状態で補助型片が連結されていると共にこれら補助型片と表装片との連結部に対してこれら両片を折り合わせ可能にする折り目部が形成されており、補助型片には、表装片との折り合わせ時に表装片におけるフック孔から遠い方の端部側で当該表装片よりも突出してトゥソックスをトゥ部形状に整形保持するトゥ差し部が形成されているものとする。
【発明の効果】
【００１４】
本発明に係るトゥソックス用パッケージでは、トゥソックスを流通乃至販売する場合に、商品形体や材質などを判りやすくすることができ、もって商品選びを容易にし購買意欲を高めさせることができるできる。
【発明を実施するための最良の形態】
【００１５】
以下、本発明の実施の形態を、図面に基づき説明する。
図１乃至図６は、本発明に係るトゥソックス用パッケージ１の第１実施形態を示したものであって、図１はパッケージ１の使用状態（トゥソックス２をパッケージした状態）を示した正面図であり、図２はパッケージ１の展開図（トゥソックス２は省略している）である。
また図３は図２に示したパッケージ１における折り畳み手順の１及び２を示した斜視図であり、図４は折り畳み手順の３及び４を示した斜視図であり、図５は折り畳み手順の１〜４を示した平面図である。更に、図６は展開状態のパッケージ１に対してトゥソックス２を装填する状況を説明した正面図である。
【００１６】
なお、本第１実施形態のパッケージ１は、複数足（図例では２足）のトゥソックス２をパッケージできるようになったものを示している。またトゥソックス２は、図６から明かなように、半円形の伸縮生地を２枚重ね合わせるようにしつつ、それらの外周円部を縫製して袋状に形成された袋部２ａと、この袋部２ａの両端を結ぶように連結された伸縮性のヒール紐２ｂとを有したものとしてある。袋部２ａで足のつま先を覆うようにしこの状態でヒール紐２ｂを踵側へ引っ掛けるようにして着用することになる。
図２に示すように、このパッケージ１は、トゥソックス２を保持する型片３と、この型片３に連結された表装片４とを有しており、これら型片３と表装片４との連結部には、これら両片３，４を折り合わせ可能にする折り目部５が形成されている。
【００１７】
またこのパッケージ１は、表装片４の脇方に隣接する状態で連結された背装片６と、この背装片６に対し、表装片４に連結された型片３と並行するようにして連結された補助型片７とを有している。表装片４と背装片６との連結部にはこれら両片４，６を折り合わせ可能にする折り目部８が形成され、背装片６と補助型片７との連結部にはこれら両片６，７を折り合わせ可能にする折り目部９が形成されている。
なお、これら型片３、表装片４、背装片６、補助型片７は、紙、樹脂含浸紙、樹脂コーティング紙、樹脂フィルムのラミネート紙、樹脂シート、又は樹脂板、その他によって形成されたもので、全てが一体的に連結されたもの（１枚の素材から形成されたもの）、或いは別体のパーツ片を接着などして連結されたものとして形成することができる。
【００１８】
型片３には、表装片４との折り目部５から遠い方の端部に、トゥソックス２をトゥ部形状に整形保持するトゥ差し部１２が形成されており、またこのトゥ差し部１２から折り目部５に向けて所定だけ離れた位置に紐掛け部１３が設けられている。
トゥ差し部１２は、トゥソックス２の袋部２ａを綺麗に広げた状態で展示できるようにしたもので、例えば半円形等として形成されている。そのためこのトゥ差し部１２へトゥソックス２を被せることで、トゥソックス２を足のつま先に履かせたような疑似形状（つま先に沿った形状）に整形保持できる。
【００１９】
紐掛け部１３は、トゥ差し部１２へ保持させたトゥソックス２のヒール紐２ｂを引っ掛け保持させるためのものである。そのためこの紐掛け部１３にヒール紐２ｂを引っ掛けておけば、ヒール紐２ｂは張りを持った状態を保持するようになり、パッケージ１からはみ出したりぶらぶらしたりしない。またヒール紐２ｂが直線的で整然となる外観を呈するようになるので体裁が良い（図６参照）。
本第１実施形態では、互いに所定間隔をおいて離れた２箇所に小穴１４が設けられ、これら両小穴１４が、トゥ差し部１２から表装片４との折り目部５へ向かう方向で鍋形の断面を呈するような切欠線１５により繋がれており、この切欠線１５の内側に小片１６が形成される構造としてある。この小片１６を切り起こすようにすることで、紐掛け部１３が形成されるのである。
【００２０】
表装片４は、折り目部５を境として型片３と折り合わせたときに外へ向く面（型片３とは反対側を向く面）に、広告面２０が形成されている。この表装片４は、上記した型片３との相関として、それらの大きさ（幅及び長さ）が決められている。
すなわち、型片３と表装片４との折り合わせ時に、型片３のトゥ差し部１２が表装片４よりも突出するように表装片４よりも型片３が長く形成されている（図３（Ｂ）及び図５（Ｂ）参照）。更に言えば、型片３のトゥ差し部１２へトゥソックス２の袋部２ａを被せた状態にしたうえで型片３と表装片４とを折り合わせたとき、トゥソックス２の袋部２ａにおけるトゥ部形状（つま先に沿った半円形状）だけが表装片４の先端部から突出するように、型片３の長さＬ１と表装片４の長さＬ２が決められている（Ｌ１＞Ｌ２）。
【００２１】
また、この折り合わせ時に型片３におけるトゥ差し部１２の両脇縁が表装片４によって覆い隠されるように、型片３における少なくともトゥ差し部１２の幅Ｗ１よりも表装片４の幅Ｗ２の方が幅広になるように両片３，４の幅が決められている（Ｗ１＜Ｗ２）。従ってトゥソックス２は、表装片４の先端部から突出するトゥ部形状（つま先に沿った半円形状）以外、全てが表装片４によって隠れるようになる（図１参照）。そのため、このままの状態でトゥソックス２を販売等に向けて展示することができるのである。
すなわち、型片３と表装片４との折り合わせ時にあって、トゥソックス２は袋部２ａとヒール紐２ｂとの連結部分やヒール紐２ｂ全体といった部分（これらの部分は商品としてのトゥソックス２においてそれほどアピールする必要のない部分である）が表装片４によって覆い隠されるようになり、表装部４によって生じる美観が損なわれることがなく、展示状態として好ましいと言える。
【００２２】
また、上記したように表装片４は外に向く面（型片３から見れば当該型片３の上に重ねられる方の面と言える）が広告面２０となっているので、このパッケージ１を見る者は、外観性に優れた広告面２０を見ながら、商品としてのトゥソックス２につき、重要視されるデザインや機能性の必要不可欠な部分だけを重点的に観察することができることになる。必要に応じて、この広告面２０にヒール紐２ｂを含めたトゥソックス２の全体形体や着用写真などを印刷しておくこともできる。
なお本第１実施形態では、型片３において、折り目部５から紐掛け部１３が設けられている周辺までは表装片４の幅Ｗ２と同じ幅寸法として、そこから先方を上記した幅Ｗ１へと幅狭化させてある。これにより、型片３は可及的に幅広の領域が広くなり、折り目部５や紐掛け部１３の強度アップに有益に作用するものとなっている。
【００２３】
具体的には幅Ｗ１＝８５ｍｍ、Ｗ２＝９５ｍｍ、Ｌ１＝１８０ｍｍ、Ｌ２＝１５０ｍｍとした。Ｌ１，Ｌ２については、トゥソックス２の大きさに支配されるところが強く、小型化にはある程度の妥当な寸法が制限されるが、大型化には特に制限はなく、表装片４に形成する広告面２０のアピール度合いや手に持った感触、商品流通上の各種事情などを考慮して適宜選択可能である。また表装片４の形状についても図例では長方形としているが、他の形状を採用することが任意に選択可能となっている。
型片３の折り目部５近傍にはフック孔２３が設けられている。同様に、表装片４の折り目部５近傍にはフック孔２４が設けられている。型片３に設けられたフック孔２３と表装片４に設けられたフック孔２４とは、型片３と表装片４との折り合わせ時に、これら両片３，４間で合致して表裏貫通するようになっている。
【００２４】
このようなことから、フック孔２３，２４を展示ラック等のフック（図示略）へ引っ掛けるようにしてこのパッケージ１を吊り下げることができる。パッケージ１をこのような吊り下げ状態としたとき、型片３のトゥ差し部１２に被せたトゥソックス２は下向きとなり、その上部側に表装片４による広告面２０が位置付けられるようになるので、パッケージ１の全体としてスマートな展示状態が得られることになる。
また、展示ラック等のフック（図示略）がフック孔２３，２４へ引っ掛けられている状態として、このフックが型片３と表装片４との折り合わせた状態を保持させる作用（かすがい的な作用）を生じるようになり、展示状態のなかで型片３と表装片４とが無理矢理開かれたり、パッケージ１中の商品（即ち、トゥソックス２）が汚損や破損等されることを防止できる利点もある。
【００２５】
本第１実施形態のフック孔２３，２４は、折り目部５を介してＬ字状に連通する溝状のものとしてあるため、型片３と表装片４とを折り合わせたときにはこれらフック孔２３，２４の一端側が上方へ開通した形状となる。そのため、展示ラック等のフック（図示略）に対し、このパッケージ１を引っ掛けたり取り外したりすることが容易にできることになる。ただ、フック孔２３，２４はこのような溝状とすることが限定されるものではなく、丸孔や角穴などとして形成することも可能である。
一方、背装片６は、型片３と表装片４とが折り目部５を境として折り合わされているときにあって、表装片４との折り目部８を境に、型片３をその外側から抱き込むようにして表装片４と折り合わされる（図４（Ａ）及び図５（Ｃ）参照）。この背装片６の幅Ｗ３は、表装片４の幅Ｗ２と同じとされている（Ｗ３＝Ｗ２）。なお、背装片６の長さＬ３は表装片４の長さＬ２を超えなければ特に決められていない。
【００２６】
背装片６には、表装片４との折り合わせ時に外へ向く面に背部広告面２７が形成されている。この背部広告面２７は、トゥソックス２のサイズや材質、取扱方法、製造会社名などの製品情報を記載するのに使用すればよい。
補助型片７は、背装片６が表装片４と折り合わされる前に、予め、折り目部９を境として背装片６と折り合わされるもので、その折り合わせの向きは、表装片４と背装片６との折り合わせ時にこれら両片４，６の間に補助型片７が挟み込まれるような向きとされている（図３（Ｂ）及び図５（Ｂ）参照）。
【００２７】
この補助型片７には折り目部９から遠い方の端部に、トゥソックス２をトゥ部形状に整形保持するトゥ差し部２８が形成されており、またこのトゥ差し部２８から折り目部９に向けて所定だけ離れた位置に紐掛け部２９が設けられている。
トゥ差し部２８は、上記した型片３のトゥ差し部１２と実質的に同じもので、トゥソックス２の袋部２ａを綺麗に広げた状態で展示できるように、例えば半円形等として形成されている。そのためこのトゥ差し部２８へトゥソックス２を被せることで、トゥソックス２を足のつま先に履かせたような疑似形状（つま先に沿った形状）に整形保持できる。
【００２８】
紐掛け部２９は、上記した型片３の紐掛け部１３と実質的に同じもので、トゥ差し部２９へ保持させたトゥソックス２のヒール紐２ｂを引っ掛け保持させるようになっている。そのためこの紐掛け部２９にヒール紐２ｂを引っ掛けておけば、ヒール紐２ｂは張りを持った状態を保持するようになり、パッケージ１からはみ出したりぶらぶらしたりしない。またヒール紐２ｂが直線的で整然となる外観を呈するようになるので体裁が良い（図６参照）。
本第１実施形態では、互いに所定間隔をおいて離れた２箇所に小穴３０が設けられ、これら両小穴３０が、トゥ差し部２８から背装片６との折り目部９へ向かう方向で鍋形の断面を呈するような切欠線３１により繋がれており、この切欠線３１の内側に小片３２が形成される構造としてある。この小片３２を切り起こすようにすることで、紐掛け部２９が形成されるのである。
【００２９】
補助型片７は、折り目部５を境として表装片４と型片３とを折り合わせ、且つ、折り目部９を境として背装片６と補助型片７とを折り合わせた状態で、更に折り目部８を境として表装片４と背装片６とを折り合わせたときに（図４（Ａ）参照）、これら全ての片３，４，６との相関として、その大きさ（幅及び長さ）が決められている。
すなわち、補助型片７のトゥ差し部２８が型片３のトゥ差し部１２を超えて更に突出するように、背装片６からの補助型片７の連結長さＬ４が決められている。
具体的には、表装片４の長さ方向に対して背装片６と補助型片７との折り目部９が位置付けられる距離Ｌ５を約８０ｍｍとしたとき、Ｌ４＝１５０ｍｍとした。すなわち、表装片４から型片３のトゥ差し部１２が突出する長さ（Ｌ１−Ｌ２＝３０ｍｍ）に比べて、表装片４から補助型片７のトゥ差し部が突出する長さ（Ｌ４−Ｌ５＝７０ｍｍ）の方が長くなり（４０ｍｍ）、この分が、補助型片７のトゥ差し部１２から型片３のトゥ差し部１２が突出する長さということになる（Ｌ４−Ｌ５＞Ｌ１−Ｌ２）。
【００３０】
そのため、型片３によって整形保持させるトゥソックス２と、補助型片７によって整形保持させるトゥソックス２とを、互いに位置ズレさせた状態（階段状にずらした状態）で展示させることができ、これを見る者に対し、一目で複数足のトゥソックス２がパッケージされていることを理解させることができる（図１参照）。また各トゥソックス２として異なる色を組み合わせることでパッケージ全体としての見栄えを向上させることも可能となり、購買意欲を高めさせるうえで有益となる。
また、この折り合わせ時に補助型片７におけるトゥ差し部２８の両脇縁が表装片４によって覆い隠されるように、補助型片７における少なくともトゥ差し部２８の幅Ｗ４よりも表装片４の幅Ｗ２の方が幅広になっている（Ｗ４＜Ｗ２）。具体的には幅Ｗ４＝８９ｍｍとした。
【００３１】
従って補助型片７によって保持されるトゥソックス２は、型片３のトゥ差し部１２から突出するトゥ部形状（つま先に沿った半円形状）以外、全てが型片３によって隠れるようになる。そのため、このままの状態でトゥソックス２を販売等に向けて展示することができるのである。
ところで、本第１実施形態では、表装片４に対し、型片３との折り合わせ時に型片３を抱き込むように折り返し可能となる開封ツマミ片３５が設けられている（図４（Ｂ）及び図５（Ｄ）参照）。この開封ツマミ片３５の大きさや形状、位置付けなどは特に限定されるものではない。
【００３２】
この開封ツマミ片３５は、折り目部５を境として表装片４と型片３とを折り合わせ、且つ、折り目部９を境として背装片６と補助型片７とを折り合わせ、更に折り目部８を境として表装片４と背装片６とを折り合わせた後に、接着剤、両面テープ、ホットメルト、超音波接着など、適宜方法により背装片６の背部広告面２７に接着させるようにする。
このようにすることで、型片３と表装片４との折り合わせ状態をはじめとして、背装片６と補助型片７との折り合わせ状態、表装片４と背装片６との折り合わせ状態を、全て一気に、且つしっかりと結合させることができる。またこれらの折り合わせ状態を解くうえで、この開封ツマミ片３５を把持して軽快で且つ迅速な折り合わせ解除（即ち、パッケージ１を開封して中の商品であるトゥソックス２を取り出す行為）ができるようになる。
【００３３】
図２から明かなように、表装片４の広告面２０、背装片６の背部広告面２７、開封ツマミ片３５において背装片６を抱き込むようにしたときの外側面は、いずれもこれら各片４，６，３５を展開させた状態下で同一面に揃っている。そのため、これら各片４，６，３５に対する印刷、或いはコーティングやラッピング等の表面処理は、素材の片面に一気に施すことができるものであり、製造上のコストダウンや製造能率向上に好適となる。
以上の説明から明かなように、トゥソックス２を流通乃至販売する場合に本発明に係るパッケージ１を採用することで、トゥソックス２としての商品形体や材質などを判りやすくすることができ、もって商品選びを容易にし購買意欲を高めさせることができる。
【００３４】
図７は、本発明に係るトゥソックス用パッケージ１の第２実施形態について、その展開状態を示している。この第２実施形態のパッケージ１では、表装片４の脇方に隣接する状態で背装片６が連結されているが、この背装片６に対して補助型片７は設けられていない点で上記第１実施形態と異なっている。
すなわち、トゥソックス２は型片３のトゥ差し部１２に対してのみ、保持させることができるので、パッケージ１全体として一つのトゥソックス２を流通、展示、販売させるのに適した実施形態である。その他の構成、作用効果は第１実施形態と略同様である。
【００３５】
図８は、本発明に係るトゥソックス用パッケージ１の第３実施形態について、その展開状態を示している。この第３実施形態のパッケージ１では、表装片４の脇方に隣接する状態で、直接、補助型片７が連結されている（即ち、背装片６を具備していない）点で上記第１実施形態と異なっている。
なお、表装片４と補助型片７との連結部には、これら両片４，７を折り合わせ可能にするための折り目部４０が形成されている。補助型片７にトゥ差し部２８や紐掛け部２９が設けられていることをはじめとして、その他の構成や作用効果は第１実施形態と略同様である。
【００３６】
ところで、本発明は、上記各実施形態に限定されるものではなく、実施の形態に応じて適宜変更可能である。
例えば、トゥソックス２は必ずしもヒール紐２ｂを具備しているとは限らないので、ヒール紐２ｂを具備しないトゥソックス２を対象とする場合には、紐掛け部１３は省略することができる。また袋部２ａについても、その形状として必ずしも半円形に形成されているとは限らないので、型片３や補助型片７におけるトゥ差し部１２，は、個々のトゥソックス２についてその袋部２ａの形状に即した形状に形成すればよい。
【図面の簡単な説明】
【００３７】
【図１】本発明に係るトゥソックス用パッケージの第１実施形態についてその使用状態（トゥソックスをパッケージした状態）を示した正面図である。
【図２】第１実施形態のパッケージ（トゥソックスは省略）を示す展開図である。
【図３】（Ａ）は図２に示したパッケージにおける折り畳み手順の１を示した斜視図であり（Ｂ）はその２を示した斜視図である。
【図４】（Ａ）は図２に示したパッケージにおける折り畳み手順の３を示した斜視図であり（Ｂ）はその４を示した斜視図である。
【図５】図３及び図４で説明した折り畳み手順の１〜４を示した平面図であって図５（Ａ）は図３（Ａ）に相当し図５（Ｂ）は図３（Ｂ）に相当し図５（Ｃ）は図４（Ａ）に相当し図５（Ｄ）は図４（Ｂ）に相当している。
【図６】展開状態のパッケージに対してトゥソックスを被せる状況を説明した正面図である。
【図７】本発明に係るトゥソックス用パッケージの第２実施形態を示した展開図である。
【図８】本発明に係るトゥソックス用パッケージの第３実施形態を示した展開図である。
【符号の説明】
【００３８】
１  パッケージ
２  トゥソックス
２ｂ  ヒール紐
３  型片
４  表装片
５  型片と表装片との折り目部
６  背装片
７  補助型片
８  背装片と表装片との折り目部
９  背装片と補助型片との折り目部
１２  型片のトゥ差し部
１３  紐掛け部
２０  広告面
２３  型片のフック孔
２４  表装片のフック孔
２７  背部広告面
２８  補助型片のトゥ差し部
３５  開封ツマミ片
４０  補助型片と表装片との折り目部
【図１】
2008143580.tif 000003
【図２】
2008143580.tif 000004
【図３】
2008143580.tif 000005
【図４】
2008143580.tif 000006
【図５】
2008143580.tif 000007
【図６】
2008143580.tif 000008
【図７】
2008143580.tif 000009
【図８】
2008143580.tif 000010